(57)【要約】  光透過率調整アイウェアを提供する。光透過率調整アイウェアは、光透過率が変化するＬＣＤ（Ｌｉｑｕｉｄ  Ｃｒｙｓｔａｌ  Ｄｉｓｐｌａｙ）パネルを含むレンズ部、周辺照度を感知する照度感知センサ、及び前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げる制御部を備える。【選択図】図１
2021500592.tif 000002
【特許請求の範囲】
【請求項１】
光透過率が変化するＬＣＤ（Ｌｉｑｕｉｄ  Ｃｒｙｓｔａｌ  Ｄｉｓｐｌａｙ）パネルを含むレンズ部と、
周辺照度を感知する照度感知センサと、
前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げる制御部と、
を備える光透過率調整アイウェア。
【請求項２】
前記ＬＣＤパネルは、光透過率の変化範囲が１％ないし９０％の範囲であることを特徴とする請求項１に記載の光透過率調整アイウェア。
【請求項３】
前記ＬＣＤパネルに電力を供給する電源部をさらに備え、
前記電源部は、周辺照度が前記第１の閾値以下である場合、前記制御部から伝達された制御信号に応じて前記ＬＣＤパネルに伝達される電力を供給して前記ＬＣＤパネルの光透過率を上げ、
周辺照度が前記第２の閾値以上である場合、前記制御部から伝達された制御信号に応じて前記ＬＣＤパネルに伝達される電力を遮断して前記ＬＣＤパネルの光透過率を下げることを特徴とする請求項１に記載の光透過率調整アイウェア。
【請求項４】
前記ＬＣＤパネルは、電力が印加されなかった状態で第１の数値の光透過率を有し、電力が印加された状態で前記第１の数値より高い第２の数値の光透過率を有することを特徴とする請求項３に記載の光透過率調整アイウェア。
【請求項５】
前記電源部を手動でオンオフ（ｏｎ／ｏｆｆ）させるフォトインタラプタ（ｐｈｏｔｏ  ｉｎｔｅｒｒｕｐｔｅｒ）をさらに備える請求項３に記載の光透過率調整アイウェア。
【請求項６】
前記ＬＣＤパネルに電力を供給する電源部をさらに備え、
前記電源部は、前記ＬＣＤパネルに電力を供給する場合、前記ＬＣＤパネルが第１の数値の光透過率を有するようにし、前記ＬＣＤパネルに対して電力を遮断する場合、前記ＬＣＤパネルが前記第１の数値より高い第２の数値の光透過率を有するようにすることを特徴とする請求項１に記載の光透過率調整アイウェア。
【請求項７】
前記電源部で前記ＬＣＤパネルに電力を供給することを手動でオンオフ（ｏｎ／ｏｆｆ）させるフォトインタラプタ（ｐｈｏｔｏ  ｉｎｔｅｒｒｕｐｔｅｒ）をさらに備える請求項６に記載の光透過率調整アイウェア。
【請求項８】
オフモード（ｏｆｆ  ｍｏｄｅ）、オンモード（ｏｎ  ｍｏｄｅ）、及び手動モード（ｍａｎｕａｌ  ｍｏｄｅ）に各々変更するモードスイッチをさらに備え、
前記オフモード（ｏｆｆ  ｍｏｄｅ）では、前記ＬＣＤパネルの光透過率が固定され、前記オンモード（ｏｎ  ｍｏｄｅ）では、前記制御部により前記ＬＣＤパネルの光透過率が調整され、前記手動モード（ｍａｎｕａｌ  ｍｏｄｅ）では、前記フォトインタラプタにより前記ＬＣＤパネルの光透過率が調整されることを特徴とする請求項７に記載の光透過率調整アイウェア。
【請求項９】
前記制御部は、以前の周辺照度が前記第１の閾値超過から現在の周辺照度が前記第１の閾値以下に変更されれば、前記ＬＣＤパネルの光透過率を上げ、
以前の周辺照度が前記第２の閾値未満から現在の周辺照度が前記第２の閾値以上に変更されれば、前記ＬＣＤパネルの光透過率を下げることを特徴とする請求項１に記載の光透過率調整アイウェア。
【請求項１０】
前記制御部は、以前の周辺照度と現在の周辺照度とが前記第１の閾値超過ないし前記第２の閾値未満である場合、
以前の周辺照度と現在の周辺照度との差を判断した後、前記ＬＣＤパネルの光透過率を調整することを特徴とする請求項９に記載の光透過率調整アイウェア。
【請求項１１】
前記制御部は、以前の周辺照度と現在の周辺照度とが前記第１の閾値超過ないし前記第２の閾値未満である場合、
前記ＬＣＤパネルの光透過率を調整することは、前記ＬＣＤパネルの光透過率範囲を１％ないし９０％に調整することを特徴とする請求項１０に記載の光透過率調整アイウェア。
【請求項１２】
前記制御部は、以前の周辺照度と現在の周辺照度とが前記第１の閾値超過ないし前記第２の閾値未満である場合、
前記制御部は、前記ＬＣＤパネルを通過した光の照度が第１の照度になるように前記ＬＣＤパネルの光透過率を調整することを特徴とする請求項９に記載の光透過率調整アイウェア。
【請求項１３】
前記制御部は、前記ＬＣＤパネルを通過した光の照度が前記第１の照度になるように、以前の周辺照度から現在の周辺照度に変化された照度変化量に補正値を入力して光透過率を調整することを特徴とする請求項１２に記載の光透過率調整アイウェア。
【請求項１４】
前記第１の閾値及び前記第２の閾値のうち、少なくとも１つは、変更可能であることを特徴とする請求項１に記載の光透過率調整アイウェア。
【請求項１５】
前記第１の閾値及び前記第２の閾値のうち、少なくとも１つは、手動で変更可能であることを特徴とする請求項１４に記載の光透過率調整アイウェア。
【請求項１６】
前記照度感知センサから少なくとも３回以上の周辺照度を感知してサンプリングし、前記制御部で前記サンプリングされた周辺照度の変化率を感知し、
前記第１の閾値及び前記第２の閾値のうち、少なくとも１つは、前記周辺照度の変化率に基づいて変更されることを特徴とする請求項１４に記載の光透過率調整アイウェア。
【請求項１７】
前記照度感知センサから少なくとも３回以上の周辺照度を感知してサンプリングし、前記制御部で前記サンプリングされた３回以上の周辺照度の平均値に基づいて制御信号を前記ＬＣＤパネルに伝達することを特徴とする請求項１に記載の光透過率調整アイウェア。
【請求項１８】
前記照度感知センサから少なくとも３回以上の周辺照度を感知してサンプリングし、前記制御部で前記サンプリングされた３回以上の周辺照度のうち、他の周辺照度に比べて最も差が大きい周辺照度を除去することを特徴とする請求項１に記載の光透過率調整アイウェア。
【請求項１９】
光透過率が変化するＬＣＤ（Ｌｉｑｕｉｄ  Ｃｒｙｓｔａｌ  Ｄｉｓｐｌａｙ）パネルを含むレンズ部と、
周辺照度を感知する照度感知センサと、
オフモード（ｏｆｆ  ｍｏｄｅ）、オンモード（ｏｎ  ｍｏｄｅ）、及び手動モード（ｍａｎｕａｌ  ｍｏｄｅ）に各々変更するモードスイッチと、
前記ＬＣＤパネルの光透過率を調整する制御部と、
前記ＬＣＤパネルの光透過率を手動で変更するフォトインタラプタ（ｐｈｏｔｏ  ｉｎｔｅｒｒｕｐｔｅｒ）と、
を備え、
前記モードスイッチが前記オフモードであるとき、前記ＬＣＤパネルの光透過率が固定され、
前記モードスイッチが前記オンモードであるとき、前記制御部は、前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げ、
前記モードスイッチが前記手動モードであるとき、前記制御部は、前記フォトインタラプタをユーザが１回タッチすれば、前記ＬＣＤパネルの光透過率を第１の数値の光透過率を有するようにし、前記フォトインタラプタをユーザが再度１回タッチすれば、前記ＬＣＤパネルの光透過率を前記第１の数値と相違した第２の数値の光透過率を有するようにすることを特徴とする光透過率調整アイウェア。
【発明の詳細な説明】
【技術分野】
【０００１】
本発明は、ユーザ周辺の照度変化に対応して効果的に光透過率を調整できる光透過率調整アイウェアに関する。
【背景技術】
【０００２】
アイウェアは、透明な素材で製作され、屈折率を調整した一般的な眼鏡もあるが、透過率を下げて眩しさや、紫外線からユーザの目を保護する製品等もある。一般的に使用するサングラスなどは、透明な眼鏡素材に着色剤などを入れるか、光を反射する素材をコーティングまたは蒸着して製造されることにより、ユーザに眩しさを少し感じるようにするか、紫外線から目を保護している。
【０００３】
しかしながら、これらのような製品は、光透過率が固定されて、ユーザの環境によって使用が適切でない場合がある。例えば、透過率が相対的に高い状態で固定された場合、暗い所や光量が少ない所では使用が適合であるが、明るい所では光透過率が高過ぎて眩しさ遮断効果や紫外線遮断効果が少ないことがあり、透過率が相対的に低い状態で固定された場合、明るい所では、その効果を十分に発揮するが、相対的に暗い所では、透過率が低過ぎて周辺の事物がろくに見えず、使用できないという問題点がある。
【０００４】
このような問題点を解決しようとして、光透過率を効果的に調整できるアイウェアについての研究が求められている。
【発明の概要】
【発明が解決しようとする課題】
【０００５】
これにより、本発明が解決しようとする課題は、ユーザが使用する周辺環境の光量に合うように光透過率を効果的に調整してユーザの視認性を高め、利便性に優れた光透過率調整アイウェアを提供することにある。
【０００６】
また、ユーザ周辺照度の急激な変化にもかかわらず、早く光透過率を調整してユーザの視認性を高め、利便性を高めることができる光透過率調整アイウェアを提供することに目的がある。
【０００７】
また、周辺照度の変化に対応して安定的に光透過率を調整できる光透過率調整アイウェアを提供することに目的がある。
【０００８】
本発明の課題は、以上で言及した技術的課題に制限されず、言及されていないさらに他の技術的課題は、下記の記載から当業者に明確に理解され得るであろう。
【課題を解決するための手段】
【０００９】
上記の課題を解決するための本発明の一実施形態に係る光透過率調整アイウェアは、光透過率が変化するＬＣＤ（Ｌｉｑｕｉｄ  Ｃｒｙｓｔａｌ  Ｄｉｓｐｌａｙ）パネルを含むレンズ部と、周辺照度を感知する照度感知センサと、前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げる制御部とを備える。
【００１０】
また、前記ＬＣＤパネルは、光透過率の変化範囲が１％ないし９０％の範囲であることを特徴とすることができる。
【００１１】
また、前記ＬＣＤパネルに電力を供給する電源部をさらに備え、前記電源部は、周辺照度が前記第１の閾値以下である場合、前記制御部から伝達された制御信号に応じて前記ＬＣＤパネルに伝達される電力を供給して前記ＬＣＤパネルの光透過率を上げ、周辺照度が前記第２の閾値以上である場合、前記制御部から伝達された制御信号に応じて前記ＬＣＤパネルに伝達される電力を遮断して前記ＬＣＤパネルの光透過率を下げることを特徴とすることができる。
【００１２】
また、前記ＬＣＤパネルは、電力が印加されなかった状態で第１の数値の光透過率を有し、電力が印加された状態で前記第１の数値より高い第２の数値の光透過率を有することを特徴とすることができる。
【００１３】
また、前記電源部を手動でオンオフ（ｏｎ／ｏｆｆ）させるフォトインタラプタ（ｐｈｏｔｏ  ｉｎｔｅｒｒｕｐｔｅｒ）をさらに備えることができる。
【００１４】
また、前記ＬＣＤパネルに電力を供給する電源部をさらに備え、前記電源部は、前記ＬＣＤパネルに電力を供給する場合、前記ＬＣＤパネルが第１の数値の光透過率を有するようにし、前記ＬＣＤパネルに対して電力を遮断する場合、前記ＬＣＤパネルが前記第１の数値より高い第２の数値の光透過率を有するようにすることを特徴とすることができる。
【００１５】
また、前記電源部で前記ＬＣＤパネルに電力を供給することを手動でオンオフ（ｏｎ／ｏｆｆ）させるフォトインタラプタ（ｐｈｏｔｏ  ｉｎｔｅｒｒｕｐｔｅｒ）をさらに備えることができる。
【００１６】
また、オフモード（ｏｆｆ  ｍｏｄｅ）、オンモード（ｏｎ  ｍｏｄｅ）、及び手動モード（ｍａｎｕａｌ  ｍｏｄｅ）に各々変更するモードスイッチをさらに備え、前記オフモード（ｏｆｆ  ｍｏｄｅ）では、前記ＬＣＤパネルの光透過率が固定され、前記オンモード（ｏｎ  ｍｏｄｅ）では、前記制御部により前記ＬＣＤパネルの光透過率が調整され、前記手動モード（ｍａｎｕａｌ  ｍｏｄｅ）では、前記フォトインタラプタにより前記ＬＣＤパネルの光透過率が調整されることを特徴とすることができる。
【００１７】
また、前記制御部は、以前の周辺照度が前記第１の閾値超過から現在の周辺照度が前記第１の閾値以下に変更されれば、前記ＬＣＤパネルの光透過率を上げ、以前の周辺照度が前記第２の閾値未満から現在の周辺照度が前記第２の閾値以上に変更されれば、前記ＬＣＤパネルの光透過率を下げることを特徴とすることができる。
【００１８】
また、前記制御部は、以前の周辺照度と現在の周辺照度とが前記第１の閾値超過ないし前記第２の閾値未満である場合、以前の周辺照度と現在の周辺照度との差を判断した後、前記ＬＣＤパネルの光透過率を調整することを特徴とすることができる。
【００１９】
また、前記制御部は、以前の周辺照度と現在の周辺照度とが前記第１の閾値超過ないし前記第２の閾値未満である場合、前記ＬＣＤパネルの光透過率を調整することは、前記ＬＣＤパネルの光透過率範囲を１％ないし９０％に調整することを特徴とすることができる。
【００２０】
また、前記制御部は、以前の周辺照度と現在の周辺照度とが前記第１の閾値超過ないし前記第２の閾値未満である場合、前記制御部は、前記ＬＣＤパネルを通過した光の照度が第１の照度になるように前記ＬＣＤパネルの光透過率を調整することを特徴とすることができる。
【００２１】
また、前記制御部は、前記ＬＣＤパネルを通過した光の照度が前記第１の照度になるように、以前の周辺照度から現在の周辺照度に変化された照度変化量に補正値を入力して光透過率を調整することを特徴とすることができる。
【００２２】
また、前記第１の閾値及び前記第２の閾値のうち、少なくとも１つは、変更可能であることを特徴とすることができる。
【００２３】
また、前記第１の閾値及び前記第２の閾値のうち、少なくとも１つは、手動で変更可能であることを特徴とすることができる。
【００２４】
また、前記照度感知センサから少なくとも３回以上の周辺照度を感知してサンプリングし、前記制御部で前記サンプリングされた周辺照度の変化率を感知し、前記第１の閾値及び前記第２の閾値のうち、少なくとも１つは、前記周辺照度の変化率に基づいて変更されることを特徴とすることができる。
【００２５】
また、前記照度感知センサから少なくとも３回以上の周辺照度を感知してサンプリングし、前記制御部で前記サンプリングされた３回以上の周辺照度の平均値に基づいて制御信号を前記ＬＣＤパネルに伝達することを特徴とすることができる。
【００２６】
また、前記照度感知センサから少なくとも３回以上の周辺照度を感知してサンプリングし、前記制御部で前記サンプリングされた３回以上の周辺照度のうち、他の周辺照度に比べて最も差が大きい周辺照度を除去することを特徴とすることができる。
【００２７】
一方、上記の課題を解決するための本発明のさらに他の実施形態に係る光透過率調整アイウェアは、光透過率が変化するＬＣＤ（Ｌｉｑｕｉｄ  Ｃｒｙｓｔａｌ  Ｄｉｓｐｌａｙ）パネルを含むレンズ部、周辺照度を感知する照度感知センサ、オフモード（ｏｆｆ  ｍｏｄｅ）、オンモード（ｏｎ  ｍｏｄｅ）、及び手動モード（ｍａｎｕａｌ  ｍｏｄｅ）に各々変更するモードスイッチ、前記ＬＣＤパネルの光透過率を調整する制御部、及び前記ＬＣＤパネルの光透過率を手動で変更するフォトインタラプタ（ｐｈｏｔｏ  ｉｎｔｅｒｒｕｐｔｅｒ）を備え、前記モードスイッチが前記オフモードであるとき、前記ＬＣＤパネルの光透過率が固定され、前記モードスイッチが前記オンモードであるとき、前記制御部は、前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げ、前記モードスイッチが前記手動モードであるとき、前記制御部は、前記フォトインタラプタをユーザが１回タッチすれば、前記ＬＣＤパネルの光透過率を第１の数値の光透過率を有するようにし、前記フォトインタラプタをユーザが再度１回タッチすれば、前記ＬＣＤパネルの光透過率を前記第１の数値と相違した第２の数値の光透過率を有するようにすることを特徴とする。
【００２８】
その他の実施形態等の具体的な事項は、詳細な説明及び図面に含まれている。
【発明の効果】
【００２９】
本発明の実施形態等によれば、少なくとも次のような効果がある。
【００３０】
本発明に係る光透過率調整アイウェアは、光量が少ない暗い日や夜間、あるいは光量が多い明るい日や昼間の状況でユーザの視認性を高め、利便性を高めることができるように光透過率を調整できる。
【００３１】
また、ユーザ周辺の照度が急激に変化しても、早く光透過率を変更することにより、ユーザの視認性を高め、利便性を高めることができる。
【００３２】
また、周辺照度変化に対応してより安定的に光透過率を調整させることができる。
【００３３】
本発明に係る効果は、以上で例示された内容により制限されず、さらに様々な効果が本明細書内に含まれている。
【図面の簡単な説明】
【００３４】
【図１】本発明の一実施形態に係る光透過率調整アイウェアの概略的な斜視図である。
【図２】図１の光透過率調整アイウェアのＡ部分を拡大した図である。
【図３】図１の光透過率調整アイウェアのＢ部分を拡大した図である。
【図４】本発明の他の実施形態に係る光透過率調整アイウェアの概略的な斜視図である。
【図５】図４の光透過率調整アイウェアのＣ部分を拡大した図である。
【図６】本発明の一実施形態に係る光透過率調整アイウェアのレンズ部において光量が多い場合と少ない場合の光透過率を調整することを概略的に示した図である。
【図７】本発明の一実施形態に係る光透過率調整アイウェアのレンズ部において光量が多い場合と少ない場合の光透過率を調整することを概略的に示した図である。
【発明を実施するための形態】
【００３５】
本発明の利点及び特徴、そして、それらを達成する方法は、添付される図面とともに詳細に後述されている実施形態を参照すれば、明確になるであろう。しかしながら、本発明は、以下において開示される実施形態等に限定されるものではなく、互いに異なる様々な形態で実現されるであろうし、単に、本実施形態等は、本発明の開示が完全なようにし、本発明の属する技術分野における通常の知識を有する者に発明の範疇を完全に知らせるために提供されるものであり、本発明は、請求項の範疇により定義されるだけである。明細書全体にわたって同一参照符号は、同一構成要素を指す。図面において、層及び領域等の大きさ及び相対的な大きさは、説明の明瞭性のために誇張されたものでありうる。
【００３６】
空間的に相対的な用語である「下（ｂｅｌｏｗ）」、「下方（ｂｅｎｅａｔｈ）」、「下部（ｌｏｗｅｒ）」、「上（ａｂｏｖｅ）」、「上部（ｕｐｐｅｒ）」などは、１つの素子または構成要素等と他の素子または構成要素等との相関関係を容易に記述するために使用されることができる。
【００３７】
例え、第１、第２などが様々な構成要素を述べるために使用されるが、これらの構成要素等は、これらの用語により制限されないことはもちろんである。これらの用語は、単に、１つの構成要素を他の構成要素と区別するために使用するものである。したがって、以下において言及される第１構成要素は、本発明の技術的思想内で第２構成要素でありうることはもちろんである。
【００３８】
また、以下において説明する本発明のアイウェア（ｅｙｅｗｅａｒ）とは、スキーゴーグル、スポーツグラス、スマートグラス、サングラス、保護メガネなど、目に着用するレンズがある製品を意味し、本明細書の説明のうち、照度と光、または光量は、互いに混用されて説明されることができる。
【００３９】
以下、図面を参照して本発明の実施形態等について説明する。
【００４０】
図１には、本発明の一実施形態に係る光透過率調整アイウェアの概略的な斜視図が示されており、図２には、図１の光透過率調整アイウェアのＡ部分を拡大した図面が示されており、図３には、図１の光透過率調整アイウェアのＢ部分を拡大した図面が示されている。
【００４１】
また、図４には、本発明の他の実施形態に係る光透過率調整アイウェアの概略的な斜視図が示されており、図５には、図４の光透過率調整アイウェアのＣ部分を拡大した図面が示されている。
【００４２】
図１〜図３の光透過率調整アイウェアは、眼鏡フレーム２００を用いて耳に定着させることによって着用するスポーツグラス、サングラスなどと理解すれば良いし、図４及び図５の光透過率調整アイウェアは、スキーゴーグルなどのような製品等の実施形態と理解すれば良いであろう。
【００４３】
図１〜図５に示すように、光透過率調整アイウェアは、光透過率が変化するＬＣＤ（Ｌｉｑｕｉｄ  Ｃｒｙｓｔａｌ  Ｄｉｓｐｌａｙ）パネルを含むレンズ部１００、１１０、周辺照度を感知する照度感知センサ２０、２１、及び前記照度感知センサ２０、２１から周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げる制御部（図示せず）を備える。
【００４４】
前記レンズ部１００、１１０のＬＣＤパネルは、非制限的な例として、ＥＣ（Ｅｌｅｃｔｒｏ  Ｃｈｒｏｍｉｃ）方式、Ｇ−Ｈ（Ｇｕｅｓｔ−Ｈｏｓｔ）方式、ＴＮ（Ｔｗｉｓｔ  Ｎｅｍａｔｉｃ）方式、電子インキ（Ｅｌｅｃｔｒｏｎｉｃ  Ｉｎｋ）方式、またはＰＤＬＣ（Ｐｏｌｙｍｅｒ  Ｄｉｓｐｅｒｓｅｄ  Ｌｉｑｕｉｄ  Ｃｒｙｓｔａｌ）方式でありうる。前記ＬＣＤパネルは、ユーザ周辺環境の照度あるいは周辺環境の照度変化に対応して光透過率を調整することにより、ユーザの眼球に伝達される光量を適切に調整することができる。一方、ここで、適切であるという意味は、相対的に光量が多くて、周辺照度が高い場合には、ユーザに伝達される光量を減らして目が眩くないようにし、夜やトンネルのような相対的に周辺照度が低い場合には、透過率を上げてユーザの視認性を相対的に高めるという意味と解釈すれば良いであろう。
【００４５】
前記ＬＣＤパネルの光透過率調整は、ＬＣＤパネルに含まれた液晶の形状が変化することで、透過される光量を調整し、これにより、光透過率を変化させることができる。ＬＣＤパネルは、必要に応じて、位相差フィルムを配置できる。前記偏光フィルムは、ポリビニルアルコール系フィルムにヨードや、二色性染料が染着及び配向された偏光子の一面または両面に保護フィルムが貼り付けられた形態でありうるし、これについては、当該技術分野に広く知られているところ、具体的な説明は省略する。ＬＣＤパネルの場合、印加される電気的信号に応じて早く光透過率を変化させることができるという長所がある。
【００４６】
前記ＬＣＤパネルは、光透過率を１％ないし９０％の範囲に調整することができ、非制限的な例として、１％ないし３０％であるか、１０％ないし５０％であるか、３０％ないし７５％でありうる。前記ＬＣＤパネルによりＬＣＤパネルを通過した光量は、前記透過率範囲で調整されてユーザの眼球に伝達させることができる。例えば、周辺照度が１０００ＬＵＸであり、ＬＣＤパネルの光透過率が１０％である場合、ユーザの眼球に到達される光量は、１００ＬＵＸであり、周辺照度が２００ＬＵＸであり、ＬＣＤパネルの光透過率が５０％である場合、１００ＬＵＸの光量がユーザの眼球に伝達されることができる。下記においてより具体的に説明するが、前記ＬＣＤパネルは、制御部から制御信号を受信して光透過率を調整でき、後述する別の電源部を備える場合、制御部から伝達された制御信号に応じて電源部をオン／オフ（ｏｎ／ｏｆｆ）し、電源部によりＬＣＤパネルの光透過率を調整するか、別のフォトインタラプタにより手動モードで光透過率を調整することもできる。
【００４７】
一方、前記ＬＣＤパネルは、使用用途に応じて、光透過率範囲を異にすることができる。例えば、一般的に使用されるサングラス（ｓｕｎｇｌａｓｓ）のような場合には、視認性を高めるために、相対的に多くの照度の光がユーザの眼球に伝達されるように光透過率範囲を高く調整することができる。また、雪が多く覆われて、光の反射が多く起こる場所で主に使用されるスキー用ゴーグルのような場合には、一般的なサングラスに比べて相対的に光透過率範囲をより低めて、眩しさを防止しながら視認性を高めることができる。それに対し、溶接用アイウェアのような場合には、瞬間的に流入する光の光量が相当多くて、光透過率範囲を１％程度の水準に非常に低くすることができる。ただし、前記溶接用アイウェアのような場合にも、溶接をしないときには、光透過率を上げて視認性を高めることができ、このような場合には、ＬＣＤパネルの変化する光透過率範囲が広く設定され得る。言い換えれば、前記ＬＣＤパネルの光透過率変化範囲は、使用用途、使用環境、ユーザの好み、ユーザ周辺の環境要素など、種々の要因を考慮して異なるように設定することができる。
【００４８】
前記照度感知センサ２０、２１は、光透過率調整アイウェア周辺の照度を感知し、感知された周辺照度を前記制御部に送信する。前記照度感知センサ２０、２１は、光透過率調整アイウェアが眼鏡やサングラスである場合、眼鏡フレーム２００あるいは眼鏡のつる３００に配置されることができるが、これに限定するものではない。また、光透過率調整アイウェアがゴーグルである場合、レンズフレーム２１０の前面や側面に配置されることができる。ただし、望ましい例として、より正確なユーザ周辺環境の照度を感知するために、照度感知センサ２０、２１は、眼鏡フレームや眼鏡のつる、あるいはレンズフレームの内側に位置することができる。前記内側という意味は、アイウェアの構成要素等でユーザ顔面間の近い位置を意味する。例えば、照度感知センサ２０、２１が眼鏡のつる３００に配置される場合、眼鏡のつる３００が定着する位置でユーザの眼球と耳との間のこめかみと隣接する位置に配置されることができ、言い換えれば、眼鏡のつる３００に位置しながら両側の眼鏡のつるが向き合う側面に配置されることができる。
【００４９】
ただし、これに限定するものではなく、前記照度感知センサ２０、２１は、使用用途に応じて眼鏡フレーム２００の前面部やレンズフレーム２１０の前面に位置することができる。すなわち、ユーザの眼球が眺める方向である外側に配置され、ユーザの眼球に光が伝達される光路上に照度感知センサ２０、２１が配置されることで、より速かにユーザの眼球に伝達される光の照度を感知できる。例えば、溶接用アイウェアの場合には、何よりも早く照度を感知してＬＣＤパネルの光透過率を変化させてこそユーザの眼球を保護できるが、この場合、溶接の際に発生する光と近い位置に照度感知センサ２０、２１を位置させることで、より速かにＬＣＤパネルの光透過率が変化されるようにすることができる。
【００５０】
前記制御部は、前記照度感知センサ２０、２１から感知された周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げることができる。第２の閾値は、第１の閾値より高い数値であって、周辺照度が相対的に高い場合の光透過率調整と関連があり、第１の閾値は、相対的に周辺照度が低い場合の光透過率調整と関連がある。すなわち、第２の閾値より受信された周辺照度が高い場合には、ＬＣＤパネルの光透過率を下げ、第１の閾値より受信された周辺照度が低い場合には、ＬＣＤパネルの光透過率を上げることができる。すなわち、前記制御部は、前記ＬＣＤパネルの光透過率を変化するように制御信号を生成及び送信することができる。
【００５１】
上記のように、制御部によりＬＣＤパネルの光透過率が調整されて、第１の閾値以下の周辺照度に対しては、高い光透過率で周辺の事物に対する視認性を高め、第２の閾値以上の周辺照度に対しては、低い光透過率を適用することにより、眩しさを防止しながら周辺の事物がよく視認されるようにすることができる。
【００５２】
一方、前記第１及び第２の閾値と、これにしたがう光透過率調整についてより詳細に説明すれば、前記第１の閾値及び第２の閾値は、特定照度値に設定されることができる。ただし、前記第１の閾値及び第２の閾値に基づいて光透過率を調整するための制御信号を生成することは、別の補正値を入力することで、前記照度値とは異なる数値により演算されることができる。前記制御部は、第２の閾値より高い数値の周辺照度が受信される場合、前記ＬＣＤパネルの光透過率を調整してユーザの眼球に伝達される光量を減らすことができる。
【００５３】
例えば、第２の閾値より高い照度で多くの光量が外部からＬＣＤパネルに流入する場合、ユーザは、眩しさを感じたり、周辺の事物を視認し難いことがあるが、ＬＣＤパネルの光透過率を下げることにより、眩しさを防止し、周辺の事物を視認しやすくすることができる。また、第１の閾値より低い照度で少ない光量が外部からＬＣＤパネルに流入する場合、前記第２の閾値を越えるときのＬＣＤパネルの光透過率と同じ光透過率でユーザの眼球に光が伝達されるならば、ユーザは、少ない光量により外部事物を視認し難いことがある。しかし、第１の閾値より低い照度の光量が流入する場合、ＬＣＤパネルの光透過率を上げることにより、視認性を高めることができる。
【００５４】
前記第１の閾値及び第２の閾値は、予め設定された数値でありうる。非制限的な例として、第２の閾値は、１２００ＬＵＸないし１８００ＬＵＸの範囲の照度に該当する数値でありうるし、第１の閾値は、６００ＬＵＸないし１０００ＬＵＸの範囲の照度に該当する数値でありうる。通常的な室内空間で照度が略５００ＬＵＸないし６００ＬＵＸ程度であり、室外の照度は、２０００ＬＵＸとすれば、室内空間では、第２の閾値を越えるようになり、光透過率を減らす方向にＬＣＤパネルの光透過率が調整され、室外では、第１の閾値より少ない照度が感知されて、光透過率を上げる方向にＬＣＤパネルの光透過率が調整され得る。
【００５５】
例えば、ＬＣＤパネルの光透過率が１０％ないし５０％の範囲に変化され、第１の閾値が６００ＬＵＸ、第２の閾値が１８００ＬＵＸであり、室内の周辺照度が５００ＬＵＸ、室外の周辺照度が２０００ＬＵＸである場合を仮定してみると、室内空間では、第１の閾値より少ない光量が流入するので、ＬＣＤパネルの光透過率が５０％に変化されて、略ユーザの眼球に２５０ＬＵＸの光が伝達され、室外では、第２の閾値より高い光量が流入するので、ＬＣＤパネルの光透過率が１０％に変化されて、略ユーザの眼球に２００ＬＵＸの光が伝達されて、室内と室外からユーザの眼球に伝達される照度量の差を減らすことができる。
【００５６】
すなわち、第２の閾値である１８００ＬＵＸを越える光量である２０００ＬＵＸの光量が投入される場合にも、ＬＣＤパネルの光透過率が高いならば、ユーザは、眩しさにより不便さを感じたり、事物の認識が難しいことがあるが、前記第２の閾値範囲を越える光量を制御部で認識し、ＬＣＤパネルの光透過率を１０％に減らすことにより、眩しさを防止しながら視認性を高めることができる。また、第１の閾値である６００ＬＵＸより低い光量である５００ＬＵＸが投入される場合にも、光透過率が１０％に低く維持されるならば、ユーザは、十分でない５０ＬＵＸ程度の照度量により事物を認識するのが難しいことがあるが、第１の閾値である６００ＬＵＸより低い光量を制御部で認識し、ＬＣＤパネルの光透過率を５０％に上げることにより、事物の認識が容易なようにすることができる。
【００５７】
ただし、既に上述したように、ＬＣＤパネルの光透過率と、第１の閾値及び第２の閾値の数値は、アイウェアの用途、ユーザ周辺の環境、使用形態などの要素によって変化されることができる。
【００５８】
一方、本発明に係る光透過率調整アイウェアは、前記ＬＣＤパネルに電力を供給する電源部をさらに備えることができる。前記電源部は、周辺照度が前記第１の閾値以下である場合、前記制御部から伝達された制御信号に応じて前記ＬＣＤパネルに伝達される電力を供給して前記ＬＣＤパネルの光透過率を上げ、周辺照度が前記第２の閾値以上である場合、前記制御部から伝達された制御信号に応じて前記ＬＣＤパネルに伝達される電力を遮断して前記ＬＣＤパネルの光透過率を下げることを特徴とすることができる。
【００５９】
光透過率調整アイウェアが電源部を備える場合、前記ＬＣＤパネルは、電力が印加されなかった状態で光透過率が第１の数値の光透過率を有し、電力が印加された状態で前記第１の数値より高い第２の数値の光透過率を有することを特徴とすることができる。一般的に、アイウェアを使用するユーザは、主に光量が多い昼に着用したり、外部で着用する場合が多いが、電源部から電力を供給されなかった状態で相対的に低い光透過率である第１の数値の光透過率を有することにより、外部から流入する多くの光量を減らしてユーザの眼球に到達される光量を減らすことができ、不要な電力消費を防止できる。すなわち、下記において説明するオフモード（ｏｆｆ  ｍｏｄｅ）や手動モード（ｍａｎｕａｌ  ｍｏｄｅ）で別の人為的な作動をしない場合、ＬＣＤパネルの基本セッティングを低い光透過率数値である第１の数値とすることにより、不要な電力の消費を減らし、バッテリの消費量を低減し、バッテリ使用時間を増やすことができる。また、オンモード（ｏｎ  ｍｏｄｅ）の場合にも、アイウェアを着用する目的、用途などを考慮すれば、基本的なセッティングを光透過率が低い第１の数値とすることにより、不要な電力の消費を減らすことができる。
【００６０】
一方、前記ＬＣＤパネルは、相対的に光量が少ない夜や、室内、トンネルなどを通るとき、電源部を介してＬＣＤパネルに電力を印加し、光透過率を前記第１の数値より高い第２の数値に調整することにより、ユーザの眼球に到達される光量が第１の数値の光透過率に比べて相対的に多くなるようにすることができる。例えば、ユーザが運転中にいきなりトンネルなどのような暗い所を通過するようになりつつ、光量が急激に減る場合、電源部を介してＬＣＤパネルに電力を印加し、光透過率を第２の数値に高めて視認性を高めることができる。
【００６１】
一方、上記の電源部を介して作動される方式をより具体的に例を挙げて説明すれば、非制限的な例として、前記電源部を介して電力が印加されない場合には、ＬＣＤパネルが有する第１の数値の光透過率は１０％であり、電力が印加される場合には、ＬＣＤパネルが有する第２の数値の光透過率が５０％でありうる。この場合、ユーザが光量の多い明るい昼に運転をする途中には、照度感知センサ２０、２１により感知された周辺照度が第２の閾値以上の数値であり、これにより、制御部を介して電源部からＬＣＤパネルへの電力供給が遮断された状態で光透過率が第１の数値の１０％で初期流入光量に比べてユーザの眼球に伝達される光量を相対的に多く減らして眩しさを防止し、視認性を高めることができる。それに対し、運転中にトンネルなどに進入する場合、急激に周辺照度は低くならざるを得ない。このような場合、第１の閾値以下の数値に周辺照度が感知されて、制御部により電源部からＬＣＤパネルへと電力を供給し、ＬＣＤパネルの光透過率範囲を５０％に瞬間的に高めることができる。
【００６２】
すなわち、急激に周辺照度が低くなる場合にも、電源部を介して電力を供給して光透過率を急激に上昇させることにより、いきなり外部事物が視認されないという問題を防止できる。言い換えれば、ユーザがトンネルなどを進入する場合にも、以前状態のように、ＬＣＤパネルの光透過率が低ければ、周辺の事物が視認されず、危険な状況が発生できるが、上記のように、感知された周辺照度が急激に低くなると、速い速度でＬＣＤパネルの光透過率を上げて周辺の事物が視認されないという問題を解決できる。
【００６３】
一方、前記電源部を手動でオンオフ（ｏｎ／ｏｆｆ）させるフォトインタラプタ５０、５１（ｐｈｏｔｏ  ｉｎｔｅｒｒｕｐｔｅｒ）をさらに備えることができる。フォトインタラプタ５０、５１は、前記ＬＣＤパネルに電力を供給することを手動でオンオフ（ｏｎ／ｏｆｆ）させることができる。前記フォトインタラプタ５０、５１は、発光ダイオードとフォトトランジスタとが組み合わせられたものであって、光路を遮断することで、電源部を手動でオンオフ（ｏｎ／ｏｆｆ）させることにより、ＬＣＤパネルの光透過率を調整させることができる。例えば、ユーザが光透過率調整アイウェアを着用した状態で前記フォトインタラプタ５０、５１の隣接した部分に手を用いて光路を遮断すれば、前記電源部を駆動するようにオン（ｏｎ）することができ、もう一度手を用いて光路を遮断すれば、前記電源部の駆動を止めるようにオフ（ｏｆｆ）させることができる。これにより、ユーザの顔面に着用された光透過率調整アイウェアに荷重を加えないことができ、着用状態に変動を与えなくても良く、便利に電源部をオンオフ（ｏｎ／ｏｆｆ）させることができる。
【００６４】
一方、非制限的な例として、前記電源部または前記ＬＣＤパネルの光透過率を調整する制御部をオン／オフ（ｏｎ／ｏｆｆ）する電源スイッチ３０、３１を別にさらに備えることができ、前記電源スイッチ３０、３１は、光透過率調整アイウェアが眼鏡やサングラスである場合、眼鏡フレーム２００あるいは眼鏡のつる３００に配置されることができる。また、光透過率調整アイウェアがゴーグルである場合、レンズフレーム２１０の側面に配置されることができる。前記電源スイッチ３０、３１は、非制限的な例として、１回押してスイッチが押される場合、オン（ｏｎ）されるか、もう一度押してスイッチが元に戻ってくる場合、オフ（ｏｆｆ）される場合のように、タック（ｔａｃｋ）スイッチでありうる。
【００６５】
また、前記電源部と連結されて電力を貯蔵及び供給するバッテリ部を備え、前記バッテリ部は、アイウェアが眼鏡やサングラスである場合、眼鏡フレーム２００あるいは眼鏡のつる３００に配置されるか、光透過率調整アイウェアがゴーグルである場合、レンズフレーム２１０に配置されることができる。また、前記バッテリ部は、外部から電力を供給されて貯蔵するために、充填部４０、４１を備えることができ、前記充填部４０、４１は、外部電力源から電力を供給されるために、外部電源から延びた充填ジャック（Ｊａｃｋ）と連結されることができる。前記充填部４０、４１は、外部でよく視認されないようにするために、ユーザを基準に光透過率調整アイウェアの下端部に位置させることができ、水分や埃などから機器を保護するために、充填部４０、４１をカバーする蓋を別に備えることができる。
【００６６】
一方、本発明に係る光透過率調整アイウェアは、前記ＬＣＤパネルの光透過率を調整する作動方式を設定するための別のモードスイッチ１０、１１をさらに備えることができる。すなわち、前記ＬＣＤパネルの光透過率を照度センサにより測定された周辺照度との関係から、自動的に調整されるようにするオンモード（ｏｎ  ｍｏｄｅ）、ユーザが直接光透過率を調整させる手動モード（ｍａｎｕａｌ  ｍｏｄｅ）、または電気的にＬＣＤパネルが作動しないようにするオフモード（ｏｆｆ  ｍｏｄｅ）を調整できるようにモードスイッチ１０、１１を備えることができる。前記モードスイッチ１０、１１は、例えば、スライディング（ｓｌｉｄｉｎｇ）方式となり、ユーザが段階的に調整させることができる。
【００６７】
例えば、モードスイッチ１０、１１がオンモード（ｏｎ  ｍｏｄｅ）であるときには、制御部によりＬＣＤパネルの光透過率が前述したように調整されることができる。また、オフモード（ｏｆｆ  ｍｏｄｅ）では、ＬＣＤパネルの光透過率が特定透過率に固定されることができ、この場合、前述したように、ＬＣＤパネルに電力が供給される場合に比べて相対的に低い光透過率を有するようにすることができる。また、手動モード（ｍａｎｕａｌ  ｍｏｄｅ）では、前記フォトインタラプタ５０、５１により前記ＬＣＤパネルの光透過率が手動で調整されるようにすることができる。例えば、前記モードスイッチが手動モードであるとき、前記制御部は、前記フォトインタラプタ５０、５１をユーザが１回タッチすれば、前記ＬＣＤパネルの光透過率を第１の数値の光透過率を有するようにし、前記フォトインタラプタ５０、５１をユーザが再度１回タッチすれば、前記ＬＣＤパネルの光透過率を前記第１の数値と相違した第２の数値の光透過率を有するようにすることができる。
【００６８】
一方、前記第１の閾値及び前記第２の閾値のうち、少なくとも１つは、変更可能であることを特徴とすることができる。また、前記第１の閾値及び前記第２の閾値のうち、少なくとも１つは、手動で変更可能であることを特徴とすることができる。すなわち、前記第１の閾値及び第２の閾値は、ユーザの好みまたはユーザの周辺環境や使用するパターンによってユーザが変更させることができる。
【００６９】
例えば、主に暗い環境や夜間に活動量が多い場合、第１の閾値を高めて、相対的にユーザの眼球に伝達される光量をより多くすることができる。すなわち、第１の閾値が２００ＬＵＸに設定された場合と４００ＬＵＸに設定された場合との例を挙げると、第１の閾値が２００ＬＵＸである場合、光透過率を上げようとするなら、周辺照度が２００ＬＵＸ以下になる場合にのみ光透過率が上がるが、相対的に光量が少ない環境である場合、第１の閾値を４００ＬＵＸのように高めるならば、３００ＬＵＸや３５０ＬＵＸのような周辺照度の場合にも、光透過率を上げてユーザの環境に合うように光透過率を上げるようにすることができる。
【００７０】
逆に、主に明るい環境や昼間に活動量が多いユーザの場合には、第２の閾値を下げて、相対的にユーザの眼球に伝達される光量をより少ないようにして眩しさを防止できる。第２の閾値が７００ＬＵＸと９００ＬＵＸとに設定された場合の例を挙げると、第２の閾値が９００ＬＵＸである場合、ユーザの眼球に伝達される光量を減らして眩しさを防止し、視認性を高めようとするなら、周辺照度が９００ＬＵＸ以上である場合にのみＬＣＤパネルの光透過率を減らすことができるが、第２の閾値が７００ＬＵＸである場合には、７００ＬＵＸと９００ＬＵＸとの間の周辺照度にもＬＣＤパネルの光透過率を減らすことにより、ユーザの眼球に伝達される光量をより少ないようにすることができる。
【００７１】
前記第１の閾値及び／又は第２の閾値の変更は、ユーザが予め設定された作動部（図示せず）により段階的に調整させることができる。例えば、閾値を３段階に区分する場合、別に備えられた作動ボタンにより第１段階、第２段階、第３段階に区分して変更することができる。例えば、閾値が３段階に区分され、第１の閾値を変更する場合、第１段階ないし第３段階は、２００ＬＵＸ、３００ＬＵＸ、４００ＬＵＸのように予め設定された閾値でありうる。また、第２の閾値を変更する場合、第１段階ないし第３段階は、９００ＬＵＸ、８００ＬＵＸ、７００ＬＵＸのように予め設定された閾値でありうる。ただし、これに限定するものではなく、より多い段階を区分する場合、それに合うように第１の閾値及び第２の閾値の段階別数値差をより稠密に設定することができる。
【００７２】
また、第１の閾値と第２の閾値とを変更する作動部が別の作動ボタンにより行われる場合、第１の閾値を設定するためのボタンと第２の閾値を設定するためのボタンとは、互いに別の作動ボタンにより駆動されるか、１つのボタンの作動方式により変化されるようにすることができる。また、第１の閾値または第２の閾値を変更するための設定となった状態で各閾値の段階を調整するための作動ボタンは別に備えられることができる。ただし、これに限定するものではなく、必要に応じて、作動ボタンを１回押した状態でスライディング方式にて押す場合、第１の閾値の段階が変更され、作動ボタンを押さなかった状態でスライディング方式にて押す場合、第２の閾値の段階が変更される方式とするか、別のディスプレイウィンドウでタッチ方式にて調整するなど、様々な方式にて作動ボタンを適用することができる。
【００７３】
一方、前記照度感知センサ２０、２１から少なくとも３回以上の周辺照度を感知してサンプリングし、前記制御部で前記サンプリングされた周辺照度の変化率を感知できる。これにより、前記第１の閾値及び前記第２の閾値のうち、少なくとも１つは、前記周辺照度の変化率に基づいて変更されることを特徴とすることができる。また、前記３回以上のサンプリングを行って第１の閾値と第２の閾値とを変更することは、ユーザが手動でサンプリングを行うように設定することによって行われることができる。また、前記サンプリングは、自動に設定されるか、ユーザが設定した特定時間のインターバル（ｉｎｔｅｒｖａｌ）を置いて行われることができる。
【００７４】
例えば、暗い夜や暗い環境が維持される室内の場合、特定インターバルを置いて３回以上のサンプリングを経て、制御部では周辺照度が全般的に暗いであろうという判断をするようになり、全般的に光透過率を上げる方向にＬＣＤパネルを調整できる。したがって、第１の閾値に対して寛大な基準を適用して第１の閾値を相対的に高く設定することができる。また、この場合、第２の閾値に対しては、厳格な基準を適用して相対的に高く設定することができる。
【００７５】
しかし、３回以上のサンプリングを介して周辺環境が暗い環境でなく、一時的に暗い環境であった場合、例えば、２回のサンプリングは、高い照度が測定され、１回のサンプリングは、低い照度が測定された場合、制御部では一時的な障害物などにより照度が低くなったことと判断し、周辺環境が高い照度の環境であろうと予測し、第１の閾値に対しては、厳格な基準を適用して相対的に低く設定し、第２の閾値に対しては、寛大な基準を適用して相対的に低く設定することができる。
【００７６】
逆に、明るい昼や、明るい環境が維持される室内の場合には、３回以上のサンプリングを介して制御部で周辺照度が全般的に明るいであろうと判断して、全般的にＬＣＤパネルの光透過率を下げる方向に調整することができる。この場合、第２の閾値に対しては、寛大な基準を適用して相対的に低く設定することができ、第１の閾値に対しては、厳格な基準を適用して相対的に低く設定することができる。それに対し、サンプリングを介して一時的に明るくなっただけであり、周辺状況が全般的に暗い状況であると判断する場合には、制御部では第２の閾値に対しては、厳格な基準を適用して相対的に高く設定し、第１の閾値に対しては、寛大な基準を適用して相対的に高く設定することができる。
【００７７】
また、非制限的な例として、前記３回のサンプリングを介して第１の閾値と第２の閾値とを変更することは、連続的に行われることができるが、一定時間が過ぎた後に行われるように設定することができ、ユーザが作動させる場合にのみ行われることもできる。または、ユーザがサンプリングされるインターバル（ｉｎｔｅｒｖａｌ）時間を設定させるか、以前照度と現在照度との差が特定数値以上に急激に変化する場合にのみ行われるようにすることもできる。
【００７８】
一方、図６及び図７には、本発明の一実施形態に係る光透過率調整アイウェアのレンズ部において光量が多い場合（周辺照度が相対的に明るい場合）と光量が少ない場合（周辺照度が相対的に暗い場合）との光透過率を調整することを概略的に示した図面が図示されている。図６が光量が多い場合であり、図７が光量が少ない場合である。以下、図６及び図７を参照して、本発明の光透過率調整アイウェアについてより具体的に説明する。
【００７９】
図６及び図７に示すように、具体的に、光量を調整することについて説明すれば、本発明の光透過率調整アイウェアは、図６のように相対的に多くの光量、すなわち、高い照度の光Ｌ１が外部からＬＣＤパネルに流入する場合の第２の閾値と、少ない光量、すなわち、低い照度の光Ｌ３が外部からＬＣＤパネルに流入する場合の第１の閾値とを設定することにより、ユーザが外部の事物を視認しやすいように光透過率を調整でき、眩しさなどを防止できる。すなわち、図６のように高い照度の光Ｌ１が外部からＬＣＤパネルに流入する場合、第２の閾値により光透過率が調整されて光透過率を下げ、少ない光量Ｌ２のみがユーザの眼球に伝達されるようにすることができる。また、図７のように低い照度の光Ｌ３が外部からＬＣＤパネルに流入する場合、第１の閾値により光透過率が上がり、前記図６の例に比べて相対的に高い割合の光量Ｌ４がユーザの眼球に伝達されて、高い周辺照度の図６の例と低い周辺照度の図７の例とで互いに近接した光量がユーザの眼球に伝達されるようにして、ユーザの視認性を極大化することができる。また、ユーザの周辺照度の程度によって図６の例と図７の例とで互いに近接した光量がユーザの眼球に伝達されないとしても、これらの間の格差を減らして、ユーザが外部の事物を視認するのにおいて不便さを感じないようにすることができる。
【００８０】
言い換えれば、ユーザは、前記第１の閾値と第２の閾値との間の光量では、一部照度の変化にも敏感に反応せず、周辺の事物を視認するのに不便さを感じないことができるが、周辺照度が第１の閾値より少ないか、第２の閾値より多い場合には、多くの不便さを感じることができる。したがって、本発明の光透過率調整アイウェアは、ユーザが不便さを感じることができるような敏感な領域の周辺照度に対して制御部を介してＬＣＤパネルで光透過率を調整することにより、ユーザの利便性及び視認性を極大化することができる。また、ＬＣＤパネルの早い光透過率変化により、暗かったり、明るい環境の両方でアイウェアを外す必要なしに連続的に使用が可能であって、利便性を極大化することができる。また、本発明の光透過率調整アイウェアのように、高い周辺照度数値に対応する第２の閾値と低い周辺照度数値に対応する第１の閾値とを設定することにより、ユーザが周辺の事物を視認するのに不便さを感じない程度の周辺照度変化に対しては、光透過率が急激に変化されることを防止して利便性を極大化し、ユーザに疲労感を与えることを防止できる。
【００８１】
一方、前記制御部は、以前の周辺照度が前記第１の閾値超過から現在の周辺照度が前記第１の閾値以下に変更されれば、前記ＬＣＤパネルの光透過率を上げることを特徴とすることができる。また、以前の周辺照度が前記第１の閾値以下から現在の周辺照度が前記第１の閾値超過に変更されても、前記ＬＣＤパネルの光透過率が以前の光透過率を維持できる。
【００８２】
同様に、前記制御部は、以前の周辺照度が前記第２の閾値未満から現在の周辺照度が前記第２の閾値以上に変更されれば、前記ＬＣＤパネルの光透過率を下げることを特徴とすることができる。また、以前の周辺照度が前記第２の閾値以上から現在の周辺照度が前記第２の閾値未満に変更されても、前記ＬＣＤパネルの光透過率が以前の光透過率を維持できる。
【００８３】
すなわち、制御部では、照度感知センサ２０、２１から受信された以前の周辺照度と現在の周辺照度とを把握して、現在の周辺照度が以前の周辺照度に比べて第１の閾値超過から第１の閾値以下に変更されるか、第２の閾値未満から第２の閾値以上に変更される場合にのみ光透過率を上げるか（第１の閾値の場合）、光透過率を下げる（第２の閾値の場合）ことができる。したがって、第１の閾値以下に周辺照度が変化されて、光透過率を上げた場合、第２の閾値以上に周辺照度が上昇しない場合には、現在の光透過率を維持し、第２の閾値以上に周辺照度が変化されることによって光透過率を下げた状態である場合、第１の閾値以下になる程度に周辺照度が下降しない場合には、現在の光透過率を維持させ、周辺環境の微細な変化あるいは特定状況による一時的な周辺照度の変化にもアイウェアの光透過率調整がより安定的になるようにすることができる。
【００８４】
上記のように、制御部で以前の周辺照度が前記第１の閾値超過から現在の周辺照度が前記第１の閾値以下に変更される場合にのみ前記ＬＣＤパネルの光透過率を上げ、以前の周辺照度が前記第２の閾値未満から現在の周辺照度が前記第２の閾値以上に変更される場合にのみ前記ＬＣＤパネルの光透過率を下げるならば、第１の閾値と第２の閾値との近辺で微細に変化する周辺照度の変化にＬＣＤパネルの光透過率が急激に変化されることを防止できる。これにより、ユーザの周辺照度の急激な変化に対応してのみＬＣＤパネルの光透過率を調整してユーザに安定感を与えることができ、電力の不要な消費を減らすことができる。
【００８５】
例えば、以前の周辺照度から現在の周辺照度が第１の閾値超過から第１の閾値以下に変更される場合をみると、周辺の照度が明るかったが、急激に暗くなるトンネルを進入する（ｉｎ）場合を例に挙げることができる。この場合、光透過率は上がり、周辺の事物に対する視認性を高めることができるが、急なトンネル内部の照明灯のような光により制御部で光透過率を下げるように認識することができ、これにより、光透過率が急激に低下するならば、ユーザは外部の事物が視認されず、運転に困難を経験することができる。本発明のように、制御部において以前の周辺照度から現在の周辺照度が第１の閾値超過から第１の閾値以下に変更される場合にのみ光透過率を上げ、逆の場合、第２の閾値までの照度変化でなければ、現在の光透過率を維持させることにより、第１の閾値付近で一時的に変化する照度変化に対してアイウェアが誤作動することを防止できる。
【００８６】
逆に、以前の周辺照度から現在の周辺照度が第２の閾値未満から第２の閾値以上に変更される場合をみると、周辺の照度が暗かったが、急激に明るくなるトンネルを出る（ｏｕｔ）場合を例に挙げることができる。この場合、光透過率が下がり、眩しさを防止し、周辺の事物の視認性を高めることができるが、トンネルを通過した後にも周辺の建物の影などにより周辺照度が一時的に低くなることができる。このような場合にも光透過率が上がるならば、アイウェアのユーザは、一時的に眩しさを感じることができる。したがって、本発明のように、第１の閾値までの周辺照度が暗くならない場合には、光透過率が変化しないようにして、周辺の照度が一部低くなるとしても光透過率が変化しないようにし、アイウェアの光透過率調整がより安定的に行われるようにすることができる。
【００８７】
上記のように、以前の周辺照度と現在の周辺照度とが第１の閾値超過から第２の閾値未満である場合、すなわち、以前と現在の周辺照度の変化が第１の閾値と第２の閾値とを外れない場合には光透過率が変化せずに、以前の状態のままに維持されてユーザをして視覚的安定感を与えることができる。例えば、第１の閾値と第２の閾値とを特定数値に設定した場合、第１の閾値と第２の閾値との境界を越えるためには、周辺の照度変化が急激に変化してこそ光透過率が変化でき、第１の閾値ないし第２の閾値間の範囲での微細な照度変化には光透過率が変化しないことができる。
【００８８】
言い換えれば、第１の閾値ないし第２の閾値の範囲での照度変化は、単にユーザが特定位置を通りながら影によるものであるか、単に雲が太陽を一時的に隠す等による事情で周辺照度が一部変化され得るが、そのような微細な周辺照度の変化にはＬＣＤパネルの光透過率が変化せず、ユーザをして周辺環境の変化をよく認識させることができる。ただし、これに限定するものではなく、後述するが、第１の閾値と第２の閾値の範囲内での周辺照度の変化でもユーザの都合を考慮して、一部光透過率を調整することもできる。
【００８９】
一方、前記制御部は、以前の周辺照度と現在の周辺照度とが前記第１の閾値超過ないし前記第２の閾値未満である場合、以前の周辺照度と現在の周辺照度との差を判断した後、前記ＬＣＤパネルの光透過率を調整することを特徴とすることができる。すなわち、前記制御部で以前の周辺照度と現在の周辺照度とを受信して前記第１の閾値超過ないし前記第２の閾値未満であると判断し、前記第１の閾値と前記第２の閾値を越えない範囲の数値であれば、このような範囲内では以前の周辺照度と現在の周辺照度との差を判断できる。このように判断された周辺照度の差に対して現在の光透過率で特定補正値を入力することにより、光透過率を調整できる。
【００９０】
また、前述したように、周辺照度が第１の閾値超過ないし第２の閾値未満である場合にＬＣＤパネルの光透過率は、第１の閾値以下になる場合の光透過率と第２の閾値以上になる場合の光透過率との範囲内でありうるし、非制限的な例として、１％ないし９０％の範囲の光透過率範囲内で調整されることができる。ただし、前記光透過率範囲は、ユーザ周辺の環境、使用用途などの種々の要因を考慮して変更されることができる。
【００９１】
すなわち、以前の周辺照度から現在の周辺照度が第１の閾値以下に変更される場合と第２の閾値以上に変更される場合には、予め設定された光透過率の分だけ光透過率を急激に変化させるようにし、第１の閾値超過ないし第２の閾値未満の範囲では、以前の周辺照度と現在の周辺照度との変化率を感知して、第１の閾値での光透過率と第２の閾値での光透過率との範囲内の光透過率範囲で変化された周辺照度の変化率と特定補正値により決定される数値の分だけ光透過率を段階的に変化させるようにすることができる。すなわち、前記周辺照度の変化率に対応して、特定補正値により決定される光透過率のとおりに微細にＬＣＤパネルの光透過率を変化させることができる。
【００９２】
したがって、前記トンネルを例に挙げながら説明したような、周辺照度が相当明るいか、急激に明るくなる場合と、相当暗いか、急激に暗くなった場合を除き、ユーザの安全に支障をきたさない程度の照度範囲では、微細に光透過率を調整してユーザに安定感を与えながらも利便性を高めることができる。すなわち、視認性に影響を与えない範囲で周辺照度の微細な変化に対応した光透過率調整によりユーザに安らかさを与えることができる。
【００９３】
前記制御部は、以前の周辺照度と現在の周辺照度とが前記第１の閾値超過ないし前記第２の閾値未満である場合、前記制御部は、前記ＬＣＤパネルを通過した光の照度が特定の照度値である第１の照度になるように、前記ＬＣＤパネルの光透過率を調整することを特徴とすることができる。前記範囲の照度は、ユーザが周辺の事物を視認するのに不便さがない程度でありながら、ユーザが安定感と安らかさを感じることができる程度の照度範囲であり、前記ターゲット範囲の照度である第１の照度に合うようにユーザの眼球に伝達される光の照度を設定することにより、ユーザをしてアイウェアを着用して活動する中間に、周辺の照度変化にも実質的に常に同じ照度で周辺の事物を視認させることができる。
【００９４】
このために、非制限的な例として、前記制御部は、前記ＬＣＤパネルを通過した光の照度が前記第１の照度になるように、以前の周辺照度から現在の周辺照度に変化された照度変化量に補正値を入力して光透過率を調整することを特徴とすることができる。例えば、ＬＣＤパネルを通過した光の照度が３００ＬＵＸになるように設定された状態である場合、周辺照度が５００ＬＵＸから４００ＬＵＸに変化される場合、光透過率は、６０％から７５％に変化されて、ユーザの眼球には３００ＬＵＸ照度の光が伝達されるようにすることができる。このような場合、前記第１の照度は、３００ＬＵＸであることと理解すれば良いであろう。このとき、周辺照度の−１００ＬＵＸの変化に対して前記光透過率の変化率は＋１２．５％の数値の分だけ変更されて、前記補正値は、１２．５％／−１００ＬＵＸで制御部に入力されることにより、前記ＬＣＤパネルの光透過率を変化させることができるものである。
【００９５】
一方、光透過率調整アイウェアは、前記照度感知センサから少なくとも３回以上の周辺照度を感知してサンプリングし、前記制御部で前記サンプリングされた３回以上の周辺照度の平均値に基づいて制御信号を前記ＬＣＤパネルに伝達することを特徴とすることができる。３回以上のサンプリングされた周辺照度の平均値に基づいて光透過率を調整することにより、精密な光透過率調整をすることができる。
【００９６】
また、望ましい例として、前記照度感知センサから少なくとも３回以上の周辺照度を感知してサンプリングし、前記制御部で前記サンプリングされた３回以上の周辺照度のうち、他の周辺照度に比べて最も差が大きい周辺照度を除去することを特徴とすることができる。これは、３回以上の周辺照度を測定した後、サンプリングされた他の照度に比べて過度に差が大きい周辺照度は誤って測定されたサンプルである可能性が大きいか、周辺の正常な照度に比べてユーザに影響を及ぼさない特定の強い照度が入射されたものでありうるし、これにより、光透過率が誤作動される可能性がある。したがって、３回以上の周辺照度サンプリング後、最も差が大きいサンプルを除去することにより、制御部で周辺照度の状況を誤って認識したり、ＬＣＤパネルの光透過率が誤作動することを防止できる。
【００９７】
前記サンプリングは、非制限的な例として、１０ｍｓの時間間隔を置いて測定されることができる。このように、短い時間間隔を置いてサンプリングを行うことにより、早くかつ正確に周辺照度を測定できる。ただし、サンプリングされる時間間隔は、使用環境、使用用途等、様々な要因により変更されることができる。
【００９８】
一方、本発明に係る光透過率調整アイウェアは、非制限的な例として、ＵＶセンサ４００、４１０をさらに備えることができる。ＵＶセンサ４００、４１０は、図１と図４のように、ユーザの眼球に直接伝達される光路上に位置して、ＵＶ数値をより精密にセンシングするように眼鏡フレーム２００の正面や、レンズフレーム２１０の正面に位置することができる。ただし、これに限定せず、レンズ部を支持する眼鏡フレーム２００やレンズリムに位置したり、眼鏡のつる３００やレンズフレーム２１０のような側面に位置することができる。周辺環境のＵＶが特定数値以上になると、前記ＵＶセンサ４００、４１０により感知し、制御部を介してユーザに警告アラームを与えることができる。前記警告アラームは、別に構成されたＬＥＤランプであるか、振動方式によることができ、特にいずれかに限定しない。
【００９９】
光透過率調整アイウェアは、表示灯（図示せず）をさらに備えることができる。前記表示灯は、例えば、ＬＥＤでありうる。前記表示灯は、前記光透過率調整アイウェアの作動方式を表示したり、ＵＶセンサを含む場合、ＵＶ指数を表示したり、電源部のオンオフを表示したり、これらを組み合わせて表示することができる。例えば、表示灯が作動方式を表示する場合、表示される色相によってオンモード（ｏｎ  ｍｏｄｅ）であるか、手動モード（ｍａｎｕａｌ  ｍｏｄｅ）であるか、オフモード（ｏｆｆ  ｍｏｄｅ）であるか、ユーザが容易に認識できるようにする。また、ＵＶセンサ４００、４１０によってユーザ周辺の外部環境のＵＶ指数が安定的である場合、緑色灯で表示され、ユーザ周辺の外部環境のＵＶ指数が危険数値である場合、赤色灯で表示される方式にてユーザに外部ＵＶ指数を知らせることができる。また、ＬＣＤを作動するために、オン（ｏｎ）である場合表示灯が点き、オフ（ｏｆｆ）モードである場合、表示灯が消えている状態でありうる。ただし、これに限定するものではなく、一般的なディスプレイ装置で構成されて、それぞれのモードや、光透過率変化、オンオフなどがディスプレイウィンドウに表示される方式でありうる。
【０１００】
一方、光透過率調整アイウェアは、送受信ハブを含むことにより、ユーザのスマート機器などで情報を送受信させることができる。これにより、ユーザ周辺の照度情報をユーザのスマート機器などに送信してスマート機器に表示するか、ユーザ周辺のＵＶ数値をユーザのスマート機器に送信してスマート機器にＵＶ数値程度を表示させることができる。また、その他にも、ＬＣＤパネルの光透過率情報、光透過率変化情報、ユーザパターンなどをユーザのスマート機器で直接確認できるか、バッテリ残量を確認できるなど、全般的な光透過率調整アイウェアの状態をユーザに確認させることができる。
【０１０１】
一方、非制限的な例として、本発明の光透過率調整アイウェアは、必要に応じて、ＬＣＤパネルを含むレンズ部１００、１１０外側や内側に眩しさ防止処理層、くもり止め（Ａｎｔｉ−Ｆｏｇ）層、スクラッチ防止層などをさらに備えることができ、眼鏡鼻パッド（図示せず）や、ユーザの顔面と当接する部分に着用可否を感知する着用感知装置（図示せず）などをさらに備えることができる。
【０１０２】
以上、添付された図面を参照して本発明の実施形態を説明したが、本発明は、前記実施形態等に限定されるものではなく、互いに異なる様々な形態で製造されることができ、本発明の属する技術分野における通常の知識を有する者は、本発明の技術的思想や必須な特徴を変更せずに、他の具体的な形態で実施され得るということが理解できるであろう。したがって、以上で記述した実施形態等は、あらゆる面において例示的なものであり、限定的でないことと理解しなければならない。
【符号の説明】
【０１０３】
１０、１１  モードスイッチ
２０、２１  照度感知センサ
３０、３１  電源スイッチ
４０、４１  充填部
５０、５１  フォトインタラプタ
１００、１１０  レンズ部
２００  眼鏡フレーム
２１０  レンズフレーム
３００  眼鏡のつる
３１０  バンド
４００、４１０  ＵＶセンサ
【図１】
2021500592.tif 000003
【図２】
2021500592.tif 000004
【図３】
2021500592.tif 000005
【図４】
2021500592.tif 000006
【図５】
2021500592.tif 000007
【図６】
2021500592.tif 000008
【図７】
2021500592.tif 000009
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
光透過率が変化するＬＣＤ（Ｌｉｑｕｉｄ  Ｃｒｙｓｔａｌ  Ｄｉｓｐｌａｙ）パネルを含むレンズ部と、
周辺照度を感知する照度感知センサと、
前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げる制御部と、
を備える光透過率調整アイウェア。
【請求項２】
前記ＬＣＤパネルは、光透過率の変化範囲が１％ないし９０％の範囲であることを特徴とする請求項１に記載の光透過率調整アイウェア。
【請求項３】
前記ＬＣＤパネルに電力を供給する電源部をさらに備え、
前記電源部は、周辺照度が前記第１の閾値以下である場合、前記制御部から伝達された制御信号に応じて前記ＬＣＤパネルに伝達される電力を供給して前記ＬＣＤパネルの光透過率を上げ、
周辺照度が前記第２の閾値以上である場合、前記制御部から伝達された制御信号に応じて前記ＬＣＤパネルに伝達される電力を遮断して前記ＬＣＤパネルの光透過率を下げることを特徴とする請求項１又は２に記載の光透過率調整アイウェア。
【請求項４】
前記ＬＣＤパネルは、電力が印加されなかった状態で第１の数値の光透過率を有し、電力が印加された状態で前記第１の数値より高い第２の数値の光透過率を有することを特徴とする請求項３に記載の光透過率調整アイウェア。
【請求項５】
前記電源部を手動でオンオフ（ｏｎ／ｏｆｆ）させるフォトインタラプタ（ｐｈｏｔｏ  ｉｎｔｅｒｒｕｐｔｅｒ）をさらに備える請求項３又は４に記載の光透過率調整アイウェア。
【請求項６】
前記ＬＣＤパネルに電力を供給する電源部をさらに備え、
前記電源部は、前記ＬＣＤパネルに電力を供給する場合、前記ＬＣＤパネルが第１の数値の光透過率を有するようにし、前記ＬＣＤパネルに対して電力を遮断する場合、前記ＬＣＤパネルが前記第１の数値より高い第２の数値の光透過率を有するようにすることを特徴とする請求項１又は２に記載の光透過率調整アイウェア。
【請求項７】
前記電源部で前記ＬＣＤパネルに電力を供給することを手動でオンオフ（ｏｎ／ｏｆｆ）させるフォトインタラプタ（ｐｈｏｔｏ  ｉｎｔｅｒｒｕｐｔｅｒ）をさらに備える請求項６に記載の光透過率調整アイウェア。
【請求項８】
オフモード（ｏｆｆ  ｍｏｄｅ）、オンモード（ｏｎ  ｍｏｄｅ）、及び手動モード（ｍａｎｕａｌ  ｍｏｄｅ）に各々変更するモードスイッチをさらに備え、
前記オフモード（ｏｆｆ  ｍｏｄｅ）では、前記ＬＣＤパネルの光透過率が固定され、前記オンモード（ｏｎ  ｍｏｄｅ）では、前記制御部により前記ＬＣＤパネルの光透過率が調整され、前記手動モード（ｍａｎｕａｌ  ｍｏｄｅ）では、前記フォトインタラプタにより前記ＬＣＤパネルの光透過率が調整されることを特徴とする請求項７に記載の光透過率調整アイウェア。
【請求項９】
前記制御部は、以前の周辺照度が前記第１の閾値超過から現在の周辺照度が前記第１の閾値以下に変更されれば、前記ＬＣＤパネルの光透過率を上げ、
以前の周辺照度が前記第２の閾値未満から現在の周辺照度が前記第２の閾値以上に変更されれば、前記ＬＣＤパネルの光透過率を下げることを特徴とする請求項１−８のいずれか１に記載の光透過率調整アイウェア。
【請求項１０】
前記制御部は、以前の周辺照度と現在の周辺照度とが前記第１の閾値超過ないし前記第２の閾値未満である場合、
以前の周辺照度と現在の周辺照度との差を判断した後、前記ＬＣＤパネルの光透過率を調整することを特徴とする請求項９に記載の光透過率調整アイウェア。
【請求項１１】
前記制御部は、以前の周辺照度と現在の周辺照度とが前記第１の閾値超過ないし前記第２の閾値未満である場合、
前記ＬＣＤパネルの光透過率を調整することは、前記ＬＣＤパネルの光透過率範囲を１％ないし９０％に調整することを特徴とする請求項１０に記載の光透過率調整アイウェア。
【請求項１２】
前記制御部は、以前の周辺照度と現在の周辺照度とが前記第１の閾値超過ないし前記第２の閾値未満である場合、
前記制御部は、前記ＬＣＤパネルを通過した光の照度が第１の照度になるように前記ＬＣＤパネルの光透過率を調整することを特徴とする請求項９に記載の光透過率調整アイウェア。
【請求項１３】
前記制御部は、前記ＬＣＤパネルを通過した光の照度が前記第１の照度になるように、以前の周辺照度から現在の周辺照度に変化された照度変化量に補正値を入力して光透過率を調整することを特徴とする請求項１２に記載の光透過率調整アイウェア。
【請求項１４】
前記第１の閾値及び前記第２の閾値のうち、少なくとも１つは、変更可能であることを特徴とする請求項１−１３のいずれか１に記載の光透過率調整アイウェア。
【請求項１５】
前記第１の閾値及び前記第２の閾値のうち、少なくとも１つは、手動で変更可能であることを特徴とする請求項１−１４のいずれか１に記載の光透過率調整アイウェア。
【請求項１６】
前記照度感知センサから少なくとも３回以上の周辺照度を感知してサンプリングし、前記制御部で前記サンプリングされた周辺照度の変化率を感知し、
前記第１の閾値及び前記第２の閾値のうち、少なくとも１つは、前記周辺照度の変化率に基づいて変更されることを特徴とする請求項１−１４のいずれか１に記載の光透過率調整アイウェア。
【請求項１７】
前記照度感知センサから少なくとも３回以上の周辺照度を感知してサンプリングし、前記制御部で前記サンプリングされた３回以上の周辺照度の平均値に基づいて制御信号を前記ＬＣＤパネルに伝達することを特徴とする請求項１−１５のいずれか１に記載の光透過率調整アイウェア。
【請求項１８】
前記照度感知センサから少なくとも３回以上の周辺照度を感知してサンプリングし、前記制御部で前記サンプリングされた３回以上の周辺照度のうち、他の周辺照度に比べて最も差が大きい周辺照度を除去することを特徴とする請求項１−１５のいずれか１に記載の光透過率調整アイウェア。
【請求項１９】
光透過率が変化するＬＣＤ（Ｌｉｑｕｉｄ  Ｃｒｙｓｔａｌ  Ｄｉｓｐｌａｙ）パネルを含むレンズ部と、
周辺照度を感知する照度感知センサと、
オフモード（ｏｆｆ  ｍｏｄｅ）、オンモード（ｏｎ  ｍｏｄｅ）、及び手動モード（ｍａｎｕａｌ  ｍｏｄｅ）に各々変更するモードスイッチと、
前記ＬＣＤパネルの光透過率を調整する制御部と、
前記ＬＣＤパネルの光透過率を手動で変更するフォトインタラプタ（ｐｈｏｔｏ  ｉｎｔｅｒｒｕｐｔｅｒ）と、
を備え、
前記モードスイッチが前記オフモードであるとき、前記ＬＣＤパネルの光透過率が固定され、
前記モードスイッチが前記オンモードであるとき、前記制御部は、前記照度感知センサから周辺照度を受信し、周辺照度が第１の閾値以下である場合、前記ＬＣＤパネルの光透過率を上げ、周辺照度が前記第１の閾値より高い数値の第２の閾値以上である場合、前記ＬＣＤパネルの光透過率を下げ、
前記モードスイッチが前記手動モードであるとき、前記制御部は、前記フォトインタラプタをユーザが１回タッチすれば、前記ＬＣＤパネルの光透過率を第１の数値の光透過率を有するようにし、前記フォトインタラプタをユーザが再度１回タッチすれば、前記ＬＣＤパネルの光透過率を前記第１の数値と相違した第２の数値の光透過率を有するようにすることを特徴とする光透過率調整アイウェア。
【手続補正２】
【補正対象書類名】明細書
【補正対象項目名】００５４
【補正方法】変更
【補正の内容】
【００５４】
前記第１の閾値及び第２の閾値は、予め設定された数値でありうる。非制限的な例として、第２の閾値は、１２００ＬＵＸないし１８００ＬＵＸの範囲の照度に該当する数値でありうるし、第１の閾値は、６００ＬＵＸないし１０００ＬＵＸの範囲の照度に該当する数値でありうる。通常的な室内空間で照度が略５００ＬＵＸないし６００ＬＵＸ程度であり、室外の照度は、２０００ＬＵＸとすれば、室外空間では、第２の閾値を越えるようになり、光透過率を減らす方向にＬＣＤパネルの光透過率が調整され、室内では、第１の閾値より少ない照度が感知されて、光透過率を上げる方向にＬＣＤパネルの光透過率が調整され得る。
【国際調査報告】
2021500592.tif 000010
2021500592.tif 000011
2021500592.tif 000012
2021500592.tif 000013